(57)【要約】  それのうちの４つが凹状多角形要素である、５つの独特の形状を有する、複数の直線的な細長い多角形要素を含むキット。いくつかの例において、互いに対して配列される場合、キットの要素は、ギリー（ｇｉｒｉｈ）ストラップワークパターンを形成する。１つの態様において、キット内のそれぞれの要素は、ギリーストラップワークパターンのオーバー／アンダー製織効果を高めるために、長辺に沿ってベゼルまたは縁取りを含み得る。他の態様において、１つ以上の要素は、トレイとして形成され得、トレイのうちのいくつかは、構築環境用に様々な創造設計及び構造的／彫刻的設備を提供するために、トレイ内に配置された様々な構成要素または材料を含み得る（例えば、建築表面材料、生体システム、様々な電子部品）。いくつかの実装形態において、１つ以上のこのようなトレイは、見ると軽く薄く見えるように、面取りされたリムを有し得る。【選択図】図５
2018524216.tif 000002
【特許請求の範囲】
【請求項１】
５つの独特の形状を有する複数の直線的な細長い多角形要素を備えるキットであって、
各独特の形状が、互いに平行である少なくとも２つの長辺を有し、
各独特の形状が、前記独特の形状のそれぞれの狭端を構成する、第１の短辺及び第２の短辺を有し、
すべての独特の形状の前記第１の短辺が、第１の同じ長さを有し、
前記５つの独特の形状のうちの４つの独特の形状の第１の群の前記第２の短辺が、第２の同じ長さを有し、
前記キットのそれぞれの要素が、ギリー（ｇｉｒｉｈ）ストラップワークパターンを形成するように、互いに対して配列される、キット。
【請求項２】
すべての独特の形状の前記第１の短辺が、前記少なくとも２つの長辺のうちの１つに対して７２度の第１の角度であり、かつ、前記少なくとも２つの長辺のうちのもう１つに対して１０８度の第２の角度である、請求項１に記載のキット。
【請求項３】
４つの独特の形状の前記第１の群の前記第２の短辺が、前記少なくとも２つの長辺のうちの１つに対して５４度の第３の角度であり、かつ、前記少なくとも２つの長辺のうちのもう１つに対して１２６度の第４の角度である、請求項１に記載のキット。
【請求項４】
前記５つの独特の形状のうちの４つの独特の形状の第２の群が、直線的な細長い凹状多角形要素である、請求項１に記載のキット。
【請求項５】
前記第２の群における前記４つの独特の形状のうちの３つの独特の形状が、２１６度の第１の内角を有する、請求項４に記載のキット。
【請求項６】
前記第２の群における前記４つの独特の形状のうちの１つの独特の形状が、２５２度の第２の内角を有する、請求項５に記載のキット。
【請求項７】
前記第２の群における前記４つの独特の形状のうちの前記３つの独特の形状の第１の独特の形状が、４つの独特の形状の前記第１の群にはない、請求項５に記載のキット。
【請求項８】
前記第２の群における前記３つの独特の形状の前記第１の独特の形状の前記第２の短辺が、前記少なくとも２つの長辺のうちの１つに対して７２度の第１の角度であり、かつ、前記少なくとも２つの長辺のもう１つに対して１０８度の第２の角度である、請求項７に記載のキット。
【請求項９】
すべての独特の形状の前記第１の短辺が、前記少なくとも２つの長辺のうちの１つに対して７２度の前記第１の角度であり、かつ、前記少なくとも２つの長辺のうちのもう１つに対して１０８度の前記第２の角度である、請求項８に記載のキット。
【請求項１０】
４つの独特の形状の前記第１の群の前記第２の短辺が、前記少なくとも２つの長辺のうちの１つに対して５４度の第３の角度であり、かつ、前記少なくとも２つの長辺のうちのもう１つに対して１２６度の第４の角度である、請求項９に記載のキット。
【請求項１１】
前記第２の群における前記４つの独特の形状の第２の独特の形状が、２５２度の第２の内角を有する、請求項１０に記載のキット。
【請求項１２】
前記複数の要素の各要素が、互いに平行である前記少なくとも２つの長辺間に露出可視面を有し、
各独特の形状の前記少なくとも２つの長辺の各長辺が、前記露出可視面とは明白に異なるベゼルまたは縁取りを含む、請求項１に記載のキット。
【請求項１３】
すべての独特の形状の前記第１及び第２の短辺が、前記ベゼルまたは前記縁取りを含まない、請求項１２に記載のキット。
【請求項１４】
前記複数の直線的な細長い多角形要素の各々が、トレイとして形成されている、請求項１に記載のキット。
【請求項１５】
前記トレイが、各独特の形状に対して前記第１の短辺、前記第２の短辺、及び、互いに平行である前記少なくとも２つの長辺に沿って、前記トレイの周辺部の周りにリムを有し、
前記リムが面取りされている、請求項１４に記載のキット。
【請求項１６】
前記複数の直線的な細長い多角形要素のうちの少なくともいくつかが、前記ギリーストラップワークパターンのための支持構造物への前記トレイの機械的結合を促進するために、前記トレイ内またはその上に配置された少なくとも１つの磁石を含む、請求項１４に記載のキット。
【請求項１７】
前記複数の直線的な細長い多角形要素のうちの少なくともいくつかが、前記トレイ内に配置された建築表面材料を含む、請求項１４に記載のキット。
【請求項１８】
前記建築表面材料が、木材、ガラス、及び金属のうちの少なくとも１つを含む、請求項１７に記載のキット。
【請求項１９】
前記複数の直線的な細長い多角形要素のうちの少なくともいくつかが、生きた植物を支持するために、前記トレイ内に配置された生体システムを含む、請求項１４に記載のキット。
【請求項２０】
前記複数の直線的な細長い多角形要素のうちの少なくともいくつかが、前記トレイ内に配置された少なくとも１つの電子部品を含む、請求項１４に記載のキット。
【請求項２１】
前記少なくとも１つの電子部品が、
光起電性構成要素、
照明構成要素、
ビデオ表示構成要素、
少なくとも１つのオーディオスピーカー、
少なくとも１つのカメラ、
少なくとも１つのセンサ、及び、
少なくとも１つの電源のうちの少なくとも１つを含む、請求項２０に記載のキット。
【請求項２２】
前記複数の要素の各要素が、互いに対して平行である前記少なくとも２つの長辺間に露出可視面を有し、
各独特の形状の前記少なくとも２つの長辺の各長辺が、前記露出可視面とは明白に異なる、ベゼルまたは縁取りを含む、請求項１〜１１及び１３〜２１のいずれかに記載のキット。
【請求項２３】
前記複数の直線的な細長い多角形要素の各々が、トレイとして形成されている、請求項１〜１３及び１５〜２２のいずれかに記載のキット。
【請求項２４】
前記複数の直線的な細長い多角形要素の各々が、トレイとして形成されており、
前記複数の直線的な細長い多角形要素のうちの少なくともいくつかが、前記トレイ内に配置された少なくとも１つの電子部品を含み、前記少なくとも１つの電子部品が、
光起電性構成要素、
照明構成要素、
ビデオ表示構成要素、
少なくとも１つのオーディオスピーカー、
少なくとも１つのカメラ、
少なくとも１つのセンサ、及び、
少なくとも１つの電源、のうちの少なくとも１つを含む、請求項１〜１３のいずれかに記載のキット。
【請求項２５】
互いに対して配列される場合、ギリーストラップワークパターンを形成する、５つの独特の形状を有する、複数の直線的な細長い多角形要素を備える、キットであって、
前記複数の直線的な細長い多角形要素の各々が、トレイとして形成されており、
前記複数の直線的な細長い多角形要素のうちの少なくともいくつかが、前記トレイ内に配置された少なくとも１つの電子部品を含み、前記少なくとも１つの電子部品が、
光起電性構成要素、
照明構成要素、
ビデオ表示構成要素、
少なくとも１つのオーディオスピーカー、
少なくとも１つのカメラ、
少なくとも１つのセンサ、及び、
少なくとも１つの電源、
のうちの少なくとも１つを含む、キット。
【請求項２６】
前記５つの独特の形状のうちの４つの独特の形状の第１の群が、直線的な細長い凹状多角形要素である、請求項２５に記載のキット。
【請求項２７】
前記複数の要素の各要素が、互いに平行である前記少なくとも２つの長辺間に、露出可視面を有し、
各独特の形状の前記少なくとも２つの長辺の各長辺が、前記露出可視面とは明白に異なる、ベゼルまたは縁取りを含む、請求項２５に記載のキット。
【請求項２８】
すべての独特の形状の前記第１及び第２の短辺が、前記ベゼルまたは前記縁取りを含まない、請求項２７に記載のキット。
【請求項２９】
前記トレイが、前記トレイの外縁の周りにリムを有し、
前記リムが面取りされている、請求項２５に記載のキット。
【請求項３０】
前記複数の直線的な細長い多角形要素のうちの少なくともいくつかが、前記ギリーストラップワークパターンのための支持構造物への前記トレイの機械的結合を促進するために、前記トレイの中またはその上に配置された少なくとも１つの磁石を含む、請求項２５に記載のキット。
【発明の詳細な説明】
【背景技術】
【０００１】
関連出願の相互参照
本出願は、「Ｍｏｄｕｌａｒ  Ｋｉｎｅｔｉｃ  Ｍｅｃｈａｎｉｃａｌ  Ｓｙｓｔｅｍ  Ｉｎｔｅｇｒａｔｉｎｇ  Ｅｌｅｃｔｒｉｃａｌ  Ｃｏｍｐｏｎｅｎｔｓ」と題され、２０１５年５月２８日に出願された、米国仮特許出願第６２／１６７，７８１号に対する優先権の利益を主張し、その出願は参照により本明細書に組み込まれる。
【０００２】
「ギリー（ｇｉｒｉｈ）」タイル（「結び目」を意味するペルシャ語から）は、イスラム建築のビルディングの装飾用のイスラム幾何学パターンを作成するために、様々な組み合わせで使用される、５つのタイルの組である。図１は、基本的輪郭形状における５つのギリータイルの組（１）の上面図を示す。タイルの５つの形状は、１０個の１４４°の内角を有する正十角形（６）、７２°、１４４°、１４４°、７２°、１４４°、１４４°の内角を有する長（変則凸状）六角形（５）、７２°、７２°、２１６°、７２°、７２°、２１６°の内角を有する蝶ネクタイ（非凸状六角形）（４）、５つの１０８°の内角を有する正五角形（３）、及び、７２°、１０８°、７２°、１０８°の内角を有する菱形（２）である。これらのタイルのすべての辺が同じ長さを有し、これらの角度のすべてが、３６°（π／５ラジアン）の倍数である。このタイルのすべてが、五角形を除き、２つの垂線に関して左右（鏡映）対称性を有する。いくつかのタイルは、さらなる対称性を有し、例えば、十角形は１０倍の回転対称性を有し（３６°の回転）、五角形は５倍の回転対称性を有する（７２°の回転）。
【０００３】
ギリータイルは各々が、概してタイル上に描かれ、「ギリーストラップワークパターン」と呼ばれる擬態された織物パターンの一部を形成する、区分的な直線で装飾されている。図２は、ギリーストラップワークパターンのそれらの対応する部分を持つ、５つのギリータイルの組（７）の上面図を示す。特に、タイル上のそれぞれのパターン部分は、２つの交線がタイルの各縁と交差して、縁に対して５４°（３π／１０）で縁の中央におけるタイルの境界と交差する、区分的な直線を含む。図３は、ストラップワークパターンの例を形成するために、一緒に置かれた図２の５つのギリータイルを示す。図４は、中心において１つの十角形タイル（６”）を有する、大部分は六角形タイル（５”）及び蝶ネクタイタイル（４”）を含む、いくつかのタイルによって形成されたギリーストラップワークパターンの、より大きく、さらに拡大された例を示す。
【発明の概要】
【０００４】
本明細書において開示された様々な発明の主題は、５つの独特の形状を有する、複数の直線的な細長い多角形要素を含むキットに関する。１つの例示的な実装形態において、独特の形状のうちの４つは、凹状多角形要素である。いくつかの例において、互いに対して配列される場合、キットの要素は、従来のギリータイルの使用を要求することなく、ギリーストラップワークパターンを形成する。１つの態様において、キットのそれぞれの要素は、長辺に沿ってベゼルまたは縁取りを含み得る（例えば、ギリーストラップワークパターンのオーバー／アンダー製織効果を高めるために）。別の態様において、キットの１つ以上の要素はトレイとして形成され得、トレイのうちのいくつかは、ギリーストラップワークパターンに基づいた、構築環境用に様々な創造設計及び構造的／彫刻的設備を提供するために、トレイ内に配置された様々な構成要素または材料を含み得る（例えば、建築表面材料、生体システム、様々な電子部品）。いくつかの実装形態において、１つ以上のこのようなトレイは、見ると軽く薄く見えるように（ギリーストラップワークパターンの間で重要な「ネガティブスペース」を含む建築設備の一部として）、面取りされたリムを有し得る。
【０００５】
より大きな従来のギリータイルに代わり、本明細書に開示された発明概念による要素の代理キットは、このようなキットにおける要素が従来のギリータイルのサイズの一部分である限りにおいて、設計者及び技術者に有利であることを、発明者は認識かつ評価した。したがって、要素のこのようなキットは、別なようにギリーストラップワークパターンを作成するために、必要な材料の表面積全体を減少させる。さらに、いくつかの例において、キットの要素は、本明細書に開示された発明概念により、様々な装飾的な構成要素（例えば、異なるタイプの建築表面材料）または機能的な構成要素（例えば、電子部品または生体システム）を装備または結合され得、このような実装形態において、キット要素の能率化したサイズは、ギリーストラップワークパターンを複製する建築設備にとって必要とされる、固有の部品または材料の総数を減少させ得る。
【０００６】
以下により詳細が述べられた前述の概念及び追加の概念のすべての組み合わせ（提供されたこのような概念は、相互に矛盾しない）は、本明細書に開示された発明の対象の一部として検討されることが、認識されるべきである。特に、本開示の終わりに現れる、請求項に記載の対象のすべての組み合わせは、本明細書に開示された発明の対象の一部であるとして検討される。参照により組み込まれたいずれの開示においても現れ得る、本明細書において明確に使用された専門用語は、本明細書に開示された特殊概念と最も矛盾しない意味と一致されるべきであることも、認識されるべきである。
【図面の簡単な説明】
【０００７】
図面は、主として例示目的のためであり、本明細書に記述された発明の対象の範囲を限定する意図はない。図面は必ずしも正確な縮尺ではなく、いくつかの例においては、本明細書に開示された発明の対象の様々な態様は、様々な特徴の理解を促進するために、図面において誇張または拡大されて示され得る。図面において、同じ参照番号は、概して同じ特徴を指す（例えば、機能的に同様及び／または構造的に同様な要素）。
【０００８】
【図１】基本的輪郭形状における５つの従来のギリータイルの上面図を示す。
【図２】区分的な直線で装飾された、５つの従来のギリータイルの上面図を示す。
【図３】例示的なギリーストラップワークパターンの一部を作成するため一緒に置かれた、図２の５つの従来のギリータイルを示す。
【図４】図２に示される５つの従来のタイルの組から取られた、いくつかのギリータイルによって形成された、ギリーストラップワークパターンの、より大きな例及びさらに拡大された例を示す。
【図５】本明細書に開示された発明概念の例示的な実装形態による、ギリーストラップワークパターンを形成するために、互いに対して配列されることができる、５つの直線的な細長い多角形要素を含むキットの上面図を示す。
【図６】本明細書に開示された発明概念の例示的な実装形態による、図５に示されるキットのそれぞれの要素の長辺に沿ったベゼルまたは縁取りを示す。
【図７】本明細書に開示された発明概念の例示的な実装形態による、図５に示されるキットのそれぞれの要素の内角を示す。
【図８Ａ】本明細書に開示された発明概念の例示的な実装形態による、要素がトレイとして形成される（例えば、建築表面材料、生体システム、または様々な電子部品を保持するため）、図５に示されるキットの要素９の上面図、底面図、側面図、右上等角図、及び、左下等角図である。
【図８Ｂ】本明細書に開示された発明概念の例示的な実装形態による、要素がトレイとして形成される（例えば、建築表面材料、生体システム、または様々な電子部品を保持するため）、図５に示されるキットの要素９の上面図、底面図、側面図、右上等角図、及び、左下等角図である。
【図８Ｃ】本明細書に開示された発明概念の例示的な実装形態による、要素がトレイとして形成される（例えば、建築表面材料、生体システム、または様々な電子部品を保持するため）、図５に示されるキットの要素９の上面図、底面図、側面図、右上等角図、及び、左下等角図である。
【図８Ｄ】本明細書に開示された発明概念の例示的な実装形態による、要素がトレイとして形成される（例えば、建築表面材料、生体システム、または様々な電子部品を保持するため）、図５に示されるキットの要素９の上面図、底面図、側面図、右上等角図、及び、左下等角図である。
【図８Ｅ】本明細書に開示された発明概念の例示的な実装形態による、要素がトレイとして形成される（例えば、建築表面材料、生体システム、または様々な電子部品を保持するため）、図５に示されるキットの要素９の上面図、底面図、側面図、右上等角図、及び、左下等角図である。
【図９Ａ】本明細書に開示された発明概念の例示的な実装形態による、要素がトレイとして形成される（例えば、建築表面材料、生体システム、または様々な電子部品を保持するため）、図５に示されるキットの要素１０の上面図、底面図、側面図、右上等角図、及び、左下等角図である。
【図９Ｂ】本明細書に開示された発明概念の例示的な実装形態による、要素がトレイとして形成される（例えば、建築表面材料、生体システム、または様々な電子部品を保持するため）、図５に示されるキットの要素１０の上面図、底面図、側面図、右上等角図、及び、左下等角図である。
【図９Ｃ】本明細書に開示された発明概念の例示的な実装形態による、要素がトレイとして形成される（例えば、建築表面材料、生体システム、または様々な電子部品を保持するため）、図５に示されるキットの要素１０の上面図、底面図、側面図、右上等角図、及び、左下等角図である。
【図９Ｄ】本明細書に開示された発明概念の例示的な実装形態による、要素がトレイとして形成される（例えば、建築表面材料、生体システム、または様々な電子部品を保持するため）、図５に示されるキットの要素１０の上面図、底面図、側面図、右上等角図、及び、左下等角図である。
【図９Ｅ】本明細書に開示された発明概念の例示的な実装形態による、要素がトレイとして形成される（例えば、建築表面材料、生体システム、または様々な電子部品を保持するため）、図５に示されるキットの要素１０の上面図、底面図、側面図、右上等角図、及び、左下等角図である。
【図１０Ａ】本明細書に開示された発明概念の例示的な実装形態による、要素がトレイとして形成される（例えば、建築表面材料、生体システム、または様々な電子部品を保持するため）、図５に示されるキットの要素１１の上面図、底面図、側面図、右上等角図、及び、左下等角図である。
【図１０Ｂ】本明細書に開示された発明概念の例示的な実装形態による、要素がトレイとして形成される（例えば、建築表面材料、生体システム、または様々な電子部品を保持するため）、図５に示されるキットの要素１１の上面図、底面図、側面図、右上等角図、及び、左下等角図である。
【図１０Ｃ】本明細書に開示された発明概念の例示的な実装形態による、要素がトレイとして形成される（例えば、建築表面材料、生体システム、または様々な電子部品を保持するため）、図５に示されるキットの要素１１の上面図、底面図、側面図、右上等角図、及び、左下等角図である。
【図１０Ｄ】本明細書に開示された発明概念の例示的な実装形態による、要素がトレイとして形成される（例えば、建築表面材料、生体システム、または様々な電子部品を保持するため）、図５に示されるキットの要素１１の上面図、底面図、側面図、右上等角図、及び、左下等角図である。
【図１０Ｅ】本明細書に開示された発明概念の例示的な実装形態による、要素がトレイとして形成される（例えば、建築表面材料、生体システム、または様々な電子部品を保持するため）、図５に示されるキットの要素１１の上面図、底面図、側面図、右上等角図、及び、左下等角図である。
【図１１Ａ】本明細書に開示された発明概念の例示的な実装形態による、要素がトレイとして形成される（例えば、建築表面材料、生体システム、または様々な電子部品を保持するため）、図５に示されるキットの要素１２の上面図、底面図、側面図、右上等角図、及び、左下等角図である。
【図１１Ｂ】本明細書に開示された発明概念の例示的な実装形態による、要素がトレイとして形成される（例えば、建築表面材料、生体システム、または様々な電子部品を保持するため）、図５に示されるキットの要素１２の上面図、底面図、側面図、右上等角図、及び、左下等角図である。
【図１１Ｃ】本明細書に開示された発明概念の例示的な実装形態による、要素がトレイとして形成される（例えば、建築表面材料、生体システム、または様々な電子部品を保持するため）、図５に示されるキットの要素１２の上面図、底面図、側面図、右上等角図、及び、左下等角図である。
【図１１Ｄ】本明細書に開示された発明概念の例示的な実装形態による、要素がトレイとして形成される（例えば、建築表面材料、生体システム、または様々な電子部品を保持するため）、図５に示されるキットの要素１２の上面図、底面図、側面図、右上等角図、及び、左下等角図である。
【図１１Ｅ】本明細書に開示された発明概念の例示的な実装形態による、要素がトレイとして形成される（例えば、建築表面材料、生体システム、または様々な電子部品を保持するため）、図５に示されるキットの要素１２の上面図、底面図、側面図、右上等角図、及び、左下等角図である。
【図１２Ａ】本明細書に開示された発明概念の例示的な実装形態による、要素がトレイとして形成される（例えば、建築表面材料、生体システム、または様々な電子部品を保持するため）、図５に示されるキットの要素１３の上面図、底面図、側面図、右上等角図、及び、左下等角図である。
【図１２Ｂ】本明細書に開示された発明概念の例示的な実装形態による、要素がトレイとして形成される（例えば、建築表面材料、生体システム、または様々な電子部品を保持するため）、図５に示されるキットの要素１３の上面図、底面図、側面図、右上等角図、及び、左下等角図である。
【図１２Ｃ】本明細書に開示された発明概念の例示的な実装形態による、要素がトレイとして形成される（例えば、建築表面材料、生体システム、または様々な電子部品を保持するため）、図５に示されるキットの要素１３の上面図、底面図、側面図、右上等角図、及び、左下等角図である。
【図１２Ｄ】本明細書に開示された発明概念の例示的な実装形態による、要素がトレイとして形成される（例えば、建築表面材料、生体システム、または様々な電子部品を保持するため）、図５に示されるキットの要素１３の上面図、底面図、側面図、右上等角図、及び、左下等角図である。
【図１２Ｅ】本明細書に開示された発明概念の例示的な実装形態による、要素がトレイとして形成される（例えば、建築表面材料、生体システム、または様々な電子部品を保持するため）、図５に示されるキットの要素１３の上面図、底面図、側面図、右上等角図、及び、左下等角図である。
【図１３Ａ】本明細書に開示された発明概念の例示的な実装形態による、ギリーストラップワークパターンの例において配列された、図８〜１２に示されるトレイの上面図及び等角図を示す。
【図１３Ｂ】本明細書に開示された発明概念の例示的な実装形態による、ギリーストラップワークパターンの例において配列された、図８〜１２に示されるトレイの上面図及び等角図を示す。
【発明を実施するための形態】
【０００９】
続いて以下は、ギリーストラップワークパターンを作成するための発明方法及び装置に関する様々な概念、及びその実施形態のより詳細な説明である。上に紹介され、以下により詳細が述べられる様々な概念は、開示された概念が実装形態のいずれの特定の方法にも限定されないように、多くの手段のいずれにおいても実装され得る。特定の実装形態及び適用の例は、主に説明目的で提供される。
【００１０】
図５は、本明細書に開示された発明概念の例示的な実装形態による、要素が、ギリーストラップワークパターンを形成するように互いに対して配列されることができる、各々が独特の形状を有する、５つの直線的な細長い多角形要素９、１０、１１、１２、及び１３を含む、キットの上面図を示す。図５で分かるように、要素１０、１１、１２、及び１３の４つは、凹状多角形（すなわち、１８０度より大きい内角を有する）である。１つの態様において、要素の各々は、均一幅を有する。それぞれの要素９、１０、１１、１２、及び１３がギリーストラップワークパターンを形成するように結合され得る方法は、５つの従来のギリータイルの組を装飾する区分的直線に対する、本明細書に開示された発明概念による、各要素の相対的対応を示す、図５の下部に示されるマトリックス１４を介して理解され得る。他の態様において、図５で容易に分かるように、各独特の形状は、互いに平行である少なくとも２つの長辺を有する。さらに、各独特の形状は、独特の形状のそれぞれの狭端を構成する第１の短辺及び第２の短辺を有し、すべての独特の形状の第１の短辺は、第１の同じ長さを有し、５つの独特の形状のうちの４つの独特の形状（例えば、要素９、１０、１１、及び１２）の第１の群の第２の短辺は、第２の同じ長さを有する。
【００１１】
いくつかの実装形態において、キットにおける各要素は、互いに平行である２つ以上の長辺間に露出可視面を有し、各長辺は、露出可視面とは明白に異なるベゼルまたは縁取り１５を含み得ることを、図６は示す。いくつかの実装形態において、ベゼルまたは縁取りは、露出可視面を構成する材料とは異なる材料からなり得る（例えば、露出可視面は、プラスチック、または一部分、半導体構成要素であり、ベゼルまたは縁取りは金属製である）。いくつかの例において、このようなベゼルまたは縁取りは、キットの要素が一緒に配列される場合、ギリーストラップワークパターンのオーバー／アンダー製織効果を高める。この目的のために、すべての独特の形状の第１及び第２の短辺は、強化されたオーバー／アンダー製織効果を促進するようなベゼルまたは縁取り１５を含み得ない。他の実装形態において、要素の長辺に沿ったベゼルまたは縁取りを保持せず、代わりに縁取り無しで縁から縁までの表面を提示するように、選択がなされることができる。これは、例えば、ＬＥＤ照明またはビデオディスプレイ設置の場合において（以下にさらに述べられる）、望ましくあり得、この場合、ベゼルまたは縁取り１５は、ビデオコンテンツまたは照明制御を通して代わりに提示される可能性があり、不透明度、色、さらに進んだモーショングラフィック効果に対する制御で、自由自在に加えられ、または取り除かれる可能性がある。
【００１２】
図７は、本明細書に開示された発明概念の例示的な実装形態による、図５に示されたキットのそれぞれの要素の内角を示す。要素のすべての内角は、１８°の倍数であり、例えば、角１７は７２°、角１８は１０８°、角１９は５４°、角２０は１２６°、角２１は１４４°、角２２は２１６°、及び、角３２は２５２°である。
【００１３】
図８Ａ〜８Ｅは、本明細書に開示された発明概念の例示的な実装形態による、要素がトレイとして形成される（例えば、建築表面材料、生体システム、または様々な電子部品を保持するため）、図５に示されるキットの要素９の上面図、底面図、側面図、右上等角図、及び左下等角図である。図９Ａ〜９Ｅは、本明細書に開示された発明概念の例示的な実装形態による、要素がトレイとして形成される（例えば、建築表面材料、生体システム、または様々な電子部品を保持するため）、図５に示されるキットの要素１０の上面図、底面図、側面図、右上等角図、及び左下等角図である。図１０Ａ〜１０Ｅは、本明細書に開示された発明概念の例示的な実装形態による、要素がトレイとして形成される（例えば、建築表面材料、生体システム、または様々な電子部品を保持するため）、図５に示されるキットの要素１１の上面図、底面図、側面図、右上等角図、及び左下等角図である。図１１Ａ〜１１Ｅは、本明細書に開示された発明概念の例示的な実装形態による、要素がトレイとして形成される（例えば、建築表面材料、生体システム、または様々な電子部品を保持するため）、図５に示されるキットの要素１２の上面図、底面図、側面図、右上等角図、及び左下等角図である。図１２Ａ〜１２Ｅは、本明細書に開示された発明概念の例示的な実装形態による、要素がトレイとして形成される（例えば、建築表面材料、生体システム、または様々な電子部品を保持するため）、図５に示されるキットの要素１３の上面図、底面図、側面図、右上等角図、及び左下等角図である。
【００１４】
１つの態様において、図８〜１２の様々な図に示されるトレイは、要素の外縁の周りにリムを含む、本質的に平たく浅い容器であり得る。別の態様において、トレイのリムは、正面から非常に軽く、「紙のように薄く」見えるように、面取りされたリム２３（例えば、３５．２６４°に鋭く後ろに面取りされた）であり得、いくつかの例において、これは、ギリーストラップワークパターンを形成するように互いに対して配列されたそれぞれのトレイ間で、減少したネガティブスペースの最大幅視野角を可能にする。代替的に、トレイは、より堅固な、突き出た外観のためにまったく面取りされず、本質的に平底リムを有するように設計されることもできる。別の態様において、トレイは、ケーブルが内部電子機器から貫通するために、トレイの裏面２４上に切り欠いた１つ以上の穴２５を有し得る（その後、張力緩和をトレイの外部に追加して、それを固定することもできる）。さらに別の態様において、トレイは、ギリーストラップワークパターンのための支持構造物に、それぞれのストレイを結合するため、裏面２４上に１つ以上の磁石２６を含み得る。
【００１５】
いくつかの実装形態において、キットの要素のうちの１つ以上は、トレイの中またはその上に配置された様々な装飾的または機能的な構成要素を支持するために、トレイとして構成され得る（例えば、図８〜１２に関して上に開示された概念により）。このような構成要素の例は、以下に限定されないが、木材、ガラス、または金属などの建築表面材料、生きた植物を支持することができる生体システム、ならびに、光起電性／ソーラーパネル、ビデオ表示構成要素（ＬＥＤ、ＬＣＤ、ＯＬＥＤなど）、照明構成要素（ＬＥＤ、白熱灯など）、オーディオスピーカー、カメラ、様々なタイプのセンサ（例えば、赤外線センサ、加速度センサ）、プリント回路基板及びスリム、及び／または交換可能な電子機器小構成要素（例えば、電源、データカード）などの様々な電子部品を含み得る。装飾的または機能的な構成要素を支持するこのようなトレイは、構築環境用に様々な創造設計及び構造的／彫刻的設備を提供する。図１３Ａ〜Ｂは、本明細書に開示された発明概念の例示的な実装形態による、ギリーストラップワークパターンの例において配列された、複数のこのようなトレイの上面図及び等角図を示す。
【００１６】
結論
様々な発明の実施形態が、本明細書に説明かつ示されているが、当業者は、本明細書に説明されている、機能を行い、かつ／または結果及び／または利点のうちの１つ以上を得るための様々な他の手段及び／または構造をすぐに構想するようになり、このような変形形態及び／または修正形態の各々は、本明細書に説明されている本発明の実施形態の範囲内にあると考えられる。より一般的に、本明細書に説明されているすべてのパラメータ、寸法、材料、及び構成は例示的であることが意図されており、実際のパラメータ、寸法、材料、及び／または構成は、発明の教示が使用される１つ以上の特定の出願に依存するようになることを、当業者は容易に理解するであろう。当業者は、本明細書に説明されている特定の発明の実施形態に対する多くの対応特許を、わずかな慣例の審査を使用して認識し、または解明することができるであろう。それ故に、前述の実施形態は例のみを目的として提示され、また、添付された請求項の範囲及びそれの対応特許のうちに、発明の実施形態は、具体的に説明されかつ請求項に記載される以外として実行され得ることが、理解されるべきである。本開示の発明の実施形態は、本明細書に説明されている、各々の固有の特徴、システム、品目、材料、キット、及び／または方法を対象とする。さらに、２つ以上のこのような特徴、システム、品目、材料、キット、及び／または方法のいずれの組み合わせも、このような特徴、システム、品目、材料、キット、及び／または方法が相互に矛盾しない場合、本開示の発明の範囲内に含まれる。
【００１７】
また、様々な発明の概念は、その例が提供されてきた、１つ以上の方法として具体化され得る。方法の一部として実行される動作は、任意の適切な方法で順序付けられ得る。したがって、例示的な実施形態において連続的な動作として示されるにも関わらず、いくつかの動作を同時に実行することを含み得る、動作が示されたものとは異なる順序で実行される実施形態が構成され得る。
【００１８】
本明細書に定義されかつ使用されるすべての定義は、辞書の定義、参照により組み込まれた文書における定義、及び／または定義された用語の通常の意味を越えて統制されることが理解されるべきである。
【００１９】
明細書及び請求項において本明細書で使用される不定冠詞「ａ」及び「ａｎ」は、そうではないと明らかに示されない限り、「少なくとも１つ」を意味するように理解されるべきである。
【００２０】
明細書及び請求項において本明細書で使用される「及び／または」という句は、そのように結合された要素、すなわち、ある場合には合接的に存在し他の場合には離接的に存在する要素の、「どちらか一方または両方」を意味するように理解されるべきである。「及び／または」で挙げられた複数の要素は、同じ方法で、すなわち、そのように結合された要素のうちの「１つ以上」と解釈されるべきである。他の要素は、明確に特定されたそれらの要素に関連しているか関連していないかを問わず、「及び／または」節によって特別に特定された要素以外に任意選択で存在し得る。したがって、非限定的な例として、「備える」などのオープンエンドの語と併せて使用される場合、「Ａ及び／またはＢ」への言及は、ある実施形態において、Ａのみ（任意選択でＢ以外の要素を含む）、別の実施形態において、Ｂのみ（任意選択でＡ以外の要素を含む）、さらに別の実施形態において、Ａ及びＢの両方（任意選択で他の要素を含む）を指すことができる、などである。
【００２１】
明細書及び請求項において本明細書で使用されるように、「または」は、上に定義された「及び／または」と同じ意味を持つと理解されるべきである。例えば、リスト内の項目を分ける場合、「または」または「及び／または」は、包括的、すなわち、いくつかの要素または要素のリスト、また任意選択で、追加の挙げられていない項目のうちの、少なくとも１つの包含だけではなく、２つ以上も含むとして、解釈されるものとする。「のうちの１つのみ」、または「のうちの厳密に１つ」、または、請求項において使用される際の「からなる」など、明らかにそうではないと示される用語のみが、いくつかの要素または要素のリストのうちの厳密に１つの要素の包含を指すことになる。一般に、本明細書において使用される際の「または」という用語は、「いずれか一方の」、「のうちの１つ」、「のうちの１つのみ」、または「のうちの厳密に１つ」など、排他的な用語が先行する場合、排他的な二者択一（すなわち、「一方または他方であるが、両方ではない」）を示すとのみ、解釈されるものとする。請求項において使用される際の「本質的に〜からなる」は、特許法の分野で使用される際には、それの通常の意味を有するものとする。
【００２２】
本明細書及び請求項において使用される際、１つ以上の要素のリストに関する、「少なくとも１つ」という句は、要素リストにおける要素のうちのいずれか１つ以上から選択された少なくとも１つの要素を意味するが、要素リスト内に具体的に挙げられたありとあらゆる要素のうちの少なくとも１つを必ずしも含むわけではなく、要素リストにおける要素のいずれの組み合わせも排除するものではない、ことが理解されよう。この定義は、「少なくとも１つ」という句が指す、要素リスト内で具体的に特定された要素以外に、具体的に特定されたそれらの要素に関係しているかまたは関係していないかに関わらず、要素が任意選択で存在し得ることも可能にする。したがって、非限定的な例として、「Ａ及びＢのうちの少なくとも１つ」（または、同等に、「ＡまたはＢのうちの少なくとも１つ」、または、同等に、「Ａ及び／またはＢのうちの少なくとも１つ」は、一実施形態では、Ｂ無しで（かつ、任意選択で、Ｂ以外の要素を含む）、少なくとも１つの、任意選択で複数を含む、Ａを指し、別の実施形態では、Ａ無しで（かつ、任意選択で、Ａ以外の要素を含む）、少なくとも１つの、任意選択で複数を含む、Ｂを指し、また別の実施形態では、少なくとも１つの、任意選択で複数を含む、Ａ、及び少なくとも１つの、任意選択で複数を含む、Ｂ（かつ、任意選択で、他の要素を含む）を指す、ことなどができる。
【００２３】
上記の明細書とともに請求項において、「備える」、「ｉｎｃｌｕｄｉｎｇ（含む）」、「携える」、「有する」、「ｃｏｎｔａｉｎｉｎｇ（含む）」、「伴う」、「保持する」、「で構成される」などのすべての移行句は、オープンエンド式、すなわち、含むが限定されないことを意味すると理解されるべきである。「からなる」、及び「本質的に〜からなる」の移行句だけは、アメリカ合衆国特許商標庁の米国特許審査便覧、２１１１．０３項に明記されているように、それぞれ、クローズド式、またはセミクローズド式移行句であるものとする。
【図１】
2018524216.tif 000003
【図２】
2018524216.tif 000004
【図３】
2018524216.tif 000005
【図４】
2018524216.tif 000006
【図５】
2018524216.tif 000007
【図６】
2018524216.tif 000008
【図７】
2018524216.tif 000009
【図８Ａ】
2018524216.tif 000010
【図８Ｂ】
2018524216.tif 000011
【図８Ｃ】
2018524216.tif 000012
【図８Ｄ】
2018524216.tif 000013
【図８Ｅ】
2018524216.tif 000014
【図９Ａ】
2018524216.tif 000015
【図９Ｂ】
2018524216.tif 000016
【図９Ｃ】
2018524216.tif 000017
【図９Ｄ】
2018524216.tif 000018
【図９Ｅ】
2018524216.tif 000019
【図１０Ａ】
2018524216.tif 000020
【図１０Ｂ】
2018524216.tif 000021
【図１０Ｃ】
2018524216.tif 000022
【図１０Ｄ】
2018524216.tif 000023
【図１０Ｅ】
2018524216.tif 000024
【図１１Ａ】
2018524216.tif 000025
【図１１Ｂ】
2018524216.tif 000026
【図１１Ｃ】
2018524216.tif 000027
【図１１Ｄ】
2018524216.tif 000028
【図１１Ｅ】
2018524216.tif 000029
【図１２Ａ】
2018524216.tif 000030
【図１２Ｂ】
2018524216.tif 000031
【図１２Ｃ】
2018524216.tif 000032
【図１２Ｄ】
2018524216.tif 000033
【図１２Ｅ】
2018524216.tif 000034
【図１３Ａ】
2018524216.tif 000035
【図１３Ｂ】
2018524216.tif 000036
【国際調査報告】
2018524216.tif 000037
2018524216.tif 000038